(57)【要約】【課題】  本発明は、収納体を安定した状態でバケットに取付可能な間接活線工具の収納体用のフレーム構造を提供することを課題とする。【解決手段】  本発明は、間接活線工具用の収納体を高所作業車のバケットに取り付けるフレーム構造であり、バケットに取り付けられる複数のベースフレームと、該ベースフレームに設けられ且つ前記収納体が取り付けられる連結部材と、該連結部材と収納体とを固定する収納体取付部とを備え、ベースフレームは、伸縮可能且つ縮み方向に付勢されるように構成される伸縮ロッドと、該伸縮ロッドの一端に固定され且つバケットの上縁部に掛止可能な掛止部材と、伸縮ロッドの他端に取り付けられ且つバケットの底面に当接させる当接部材とを備え、連結部材は、収納体の開口側と底部側とが固定されるように構成される。【選択図】図７
2017169359.tif 000002
【特許請求の範囲】
【請求項１】
間接活線工具用の収納体を高所作業車のバケットに取り付けるためのフレーム構造であって、前記バケットに取り付けられる複数のベースフレームと、該ベースフレームに設けられ且つ前記収納体が取り付けられる連結部材と、該連結部材と前記収納体とを固定するための収納体取付部とを備え、前記ベースフレームは、棒状であり且つ長手方向に伸縮可能であるとともに縮み方向に付勢されるように構成される伸縮ロッドと、該伸縮ロッドの長手方向における一端に固定され且つ前記バケットの上縁部に掛止可能な掛止部材と、前記伸縮ロッドの長手方向における他端に取り付けられ且つ前記バケットの底面に当接させる当接部材とを備え、前記連結部材は、前記収納体の開口側と底部側とが固定されるように構成される間接活線工具の収納体用のフレーム構造。
【請求項２】
前記連結部材は、前記ベースフレーム間に架け渡される複数の架設フレームを備え、該複数の架設フレームには、前記収納体の開口側が固定される上部フレームと、前記収納体の底側が固定される下部フレームとが含まれる請求項１に記載の間接活線工具の収納体用のフレーム構造。
【請求項３】
前記上部フレーム及び前記下部フレームは、前記ベースフレームに架け渡される架設方向で伸縮可能に構成される請求項２に記載の間接活線工具の収納体用のフレーム構造。
【請求項４】
前記ベースフレームは、前記当接部材を前記伸縮ロッドの他端に連結するアームを備え、該アームは、前記伸縮ロッドが伸縮する伸縮方向に対して交差する方向に延出するように構成される請求項２又は請求項３に記載の間接活線工具の収納体用のフレーム構造。
【請求項５】
前記当接部材は、前記バケットの底面に当接させる当接面を有するとともに、該当接面の向きを変えるように姿勢変更可能に構成される請求項４に記載の間接活線工具の収納体用のフレーム構造。
【請求項６】
前記アームは、前記当接部材を前記伸縮ロッドに接近させた収納状態と、前記当接部材を前記伸縮ロッドから離間させた展開状態とに切替可能である請求項４又は請求項５に記載の間接活線工具の収納体用のフレーム構造。
【発明の詳細な説明】
【技術分野】
【０００１】
本発明は、間接活線工具を収納する収納体を高所作業車のバケットに取り付けるためのフレーム構造に関する。
【背景技術】
【０００２】
従来から、電線や、電柱の上部に設置されている設備等に対して高所で行う作業（以下、高所作業という）では、作業者が高所作業車のバケットに搭乗することがある。この場合、作業者は、高所作業で使用する間接活線工具を収納する間接活線作業用工具収納体（以下、収納体という）をバケットに取り付けている。
【０００３】
かかる収納体は、間接活線工具類を挿入可能な開口部が形成され且つ互いに連結された複数の有底筒状体と、該複数の有底筒状体のそれぞれの開口部側に設けられ且つバケットに装着されたフック状の取付手段に係合させるように構成される複数の取付用環状部材とを備えている（例えば、特許文献１参照）。
【０００４】
作業者は、取付用環状部材を取付手段に係合させることでバケットに収納体を取り付け、高所作業に用いる間接活線工具を該収納体に収納している。そして、バケットを高所に移動させて高所作業を行う際に、必要に応じて間接活線工具を収納体に対して出し入れしている。
【先行技術文献】
【特許文献】
【０００５】
【特許文献１】特開２０１２−１３５１２２号公報
【発明の概要】
【発明が解決しようとする課題】
【０００６】
ところで、前記収納体は、各有底筒状体の開口部側に設けられた取付用環状部材を取付手段に係合させることでバケットに取り付けられる構成であることから、各有底筒状体の上方側のみがバケットに取り付けられた状態となる。
【０００７】
そのため、風に煽られた有底筒状体が取付用環状部材と取付手段との係合位置を基点として揺れ動くことで、収納している間接活線工具や、有底筒状体自体がバケットから脱落する虞があることが懸念されている。従って、バケットに取り付けた有底筒状体の状態を安定させることが望まれている。
【０００８】
そこで、本発明は、斯かる実情に鑑み、間接活線工具の収納体を安定した状態でバケットに取り付けることができる間接活線工具の収納体用のフレーム構造を提供することを課題とする。
【課題を解決するための手段】
【０００９】
本発明の間接活線工具の収納体用のフレーム構造は、間接活線工具用の収納体を高所作業車のバケットに取り付けるためのフレーム構造であって、前記バケットに取り付けられる複数のベースフレームと、該ベースフレームに設けられ且つ前記収納体が取り付けられる連結部材と、該連結部材と前記収納体とを固定するための収納体取付部とを備え、前記ベースフレームは、棒状であり且つ長手方向に伸縮可能であるとともに縮み方向に付勢されるように構成される伸縮ロッドと、該伸縮ロッドの長手方向における一端に固定され且つ前記バケットの上縁部に掛止可能な掛止部材と、前記伸縮ロッドの長手方向における他端に取り付けられ且つ前記バケットの底面に当接させる当接部材とを備え、前記連結部材は、前記収納体の開口側と底部側とが固定されるように構成される。
【００１０】
上記構成の間接活線工具の収納体用のフレーム構造によれば、縮み方向に付勢されるように構成される伸縮ロッドの一端にはバケットの上縁部に掛止可能な掛止部材が固定され、該伸縮ロッドの他端にはバケットの底面に当接させる当接部材が取り付けられているため、当接部材をバケットの底面に当接させ、さらに、掛止部材をバケットの上縁部に掛止した状態で伸縮ロッドが縮むと、当接部材と掛止部材とが伸縮ロッドの縮み方向に付勢される結果、該当接部材と掛止部材とがバケットを挟持する。これにより、伸縮ロッドの一端と他端とがバケットに固定される。
【００１１】
また、ベースフレームには、収納体の開口側と底部側とが固定されるように構成される連結部材が設けられているため、収納体取付部で収納体の開口側（上端側）と底部側（下端側）とを連結部材に固定することによって、収納体の上端側と下端側とがバケットから離れないようにすることができる。
【００１２】
本発明の間接活線工具の収納体用のフレーム構造において、前記連結部材は、前記ベースフレーム間に架け渡される複数の架設フレームを備え、該複数の架設フレームには、前記収納体の開口側が固定される上部フレームと、前記収納体の底側が固定される下部フレームとが含まれていてもよい。
【００１３】
かかる構成によれば、複数の架設フレームには、前記収納体の開口側が固定される上部フレームと、前記収納体の底側が固定される下部フレームとが含まれるため、収納体取付部で上部フレームに収納体の開口側（上端側）を固定し、下部フレームに収納体の底部側（下端側）を固定することで、収納体の上端側と下端側とがバケットから離れないようにすることができる。
【００１４】
本発明の間接活線工具の収納体用のフレーム構造において、前記上部フレーム及び前記下部フレームは、前記ベースフレームに架け渡される架設方向で伸縮可能に構成されていてもよい。
【００１５】
かかる構成によれば、前記上部フレーム及び前記下部フレームを伸縮させて隣り合うベースフレームの間隔を調整することができるため、種々のサイズの収納体をバケットに取り付けることが可能となる。
【００１６】
本発明の間接活線工具の収納体用のフレーム構造において、前記ベースフレームは、前記当接部材を前記伸縮ロッドの他端に連結するアームを備え、該アームは、前記伸縮ロッドが伸縮する伸縮方向に対して交差する方向に延出するように構成されていてもよい。
【００１７】
かかる構成によれば、前記伸縮方向に対して交差する方向でベースフレームから延出するアームを介して当接部材がベースフレームに連結されるため、該当接部材が伸縮ロッドから離れた位置に配置される。これにより、前記間接活線工具の収納体用のフレーム構造では、伸縮ロッドをバケットの側面に沿わせて配置するとともに、当接部材をバケットの底面に回り込ませて当接させることができるため、バケットに対して確実に取り付けることができる。
【００１８】
この場合、前記当接部材は、前記バケットの底面に当接させる当接面を有するとともに、該当接面の向きを変えるように姿勢変更可能であってもよい。
【００１９】
かかる構成によれば、姿勢変更することでバケットの底面に当接させる当接面の向きを変えることがえきるため、該当接面をバケットの底面形状に対応した向きに変えた状態で当接させることができる。
【００２０】
また、前記アームは、前記当接部材を前記伸縮ロッドに接近させた収納状態と、前記当接部材を前記伸縮ロッドから離間させた展開状態とに切替可能であってもよい。
【００２１】
かかる構成によれば、アームが、当接部材を伸縮ロッドに接近させた収納状態と、当接部材を伸縮ロッドから離間させた展開状態とに切替可能であるため、収納状態から展開状態に切り替えれば、当接部材が伸縮ロッドから離れた位置に配置されるため、バケットに取付可能な状態にでき、展開状態から収納状態に切り替えれば、当接部材がアームに接近した状態となるため、運搬や保管に適した状態にすることができる。
【発明の効果】
【００２２】
以上のように、本発明の間接活線工具の収納体用のフレーム構造によれば、間接活線工具の収納体を安定した状態でバケットに取り付けることができるという優れた効果を奏し得る。
【図面の簡単な説明】
【００２３】
【図１】図１は、本発明の一実施形態に係る間接活線工具の収納体用のフレーム構造の正面図である。
【図２】図２は、同実施形態に係る間接活線工具の収納体用のフレーム構造の側面正面図である。
【図３】図３は、同実施形態に係る間接活線工具の収納体用のフレーム構造の拡大図である。
【図４】図４は、同実施形態に係る間接活線工具の収納体用のフレーム構造の断面拡大図であって、図１の領域Ａの断面拡大図である。
【図５】図５は、同実施形態に係る間接活線工具の収納体用のフレーム構造の使用状態の説明図であって、当接部材をバケットの底面に当接させた状態の説明図である。
【図６】図６は、同実施形態に係る間接活線工具の収納体用のフレーム構造の使用状態の説明図であって、掛止部材をバケットの上縁部に当接させた状態の説明図である。
【図７】図７は、同実施形態に係る間接活線工具の収納体用のフレーム構造の使用状態の説明図であって、上部フレーム及び下部フレームに収納体を取り付けた状態の説明図である。
【発明を実施するための形態】
【００２４】
以下、本発明の一実施形態にかかる間接活線工具の収納体用のフレーム構造（以下、フレーム構造という）について、添付図面を参照しつつ説明する。フレーム構造は、間接活線工具用の収納体を高所作業車のバケットに取り付けるためのものである。本実施形態では、フレーム構造の説明に先立ち、フレーム構造を取り付ける対象とするバケット、及びフレーム構造に取り付ける収納体について説明する。
【００２５】
図７に示すように、バケット５は、作業者を載せる底部５０と、該底部５０の外周全周から起立する周壁部５１とを有するように構成されており、該周壁部５１の上縁部５１０が丸みを帯びるように形成されている。
【００２６】
バケット５の底面は、底部５０の外面によって構成されている。また、バケット５の側面は、周壁部５１の外面によって構成されている。
【００２７】
収納体６は、間接活線工具Ｔを抜き差しするための開口６００が形成された袋本体６０と、該袋本体６０をフレーム構造１に固定するための固定部材６１とを備えている。
【００２８】
袋本体６０は、収納する間接活線工具Ｔを受ける底受部６０１と、該底受部６０１の外周全周から起立し且つ収納する間接活線工具Ｔの周囲を取り囲むように形成される取囲部６０２とを有する。なお、収納体６において、開口６００とは、底受部６０１の先端側に取り囲まれた領域のことである。
【００２９】
固定部材６１には、収納体６の開口６００側（上方側）に設けられる一対の上部固定部材６１０と、収納体６の底側（下方側）に設けられる一対の下部固定部材６１１とが含まれている。なお、本実施形態に係る上部固定部材６１０及び下部固定部材６１１は、それぞれ雌雄一対の面ファスナーを備える構成となっているが、収納体６を後述する架設フレーム３０に固定することができれば、該面ファスナーを備えるものに限定されない。
【００３０】
一対の上部固定部材６１０は、収納体６の幅方向で間隔をあけて互いに並ぶように配置されている。一対の下部固定部材６１１も、収納体６の幅方向で間隔をあけて互いに並ぶように配置されている。
【００３１】
フレーム構造１は、図１及び図２に示すように、バケット５に取り付けられる一対のベースフレーム２と、該ベースフレーム２に設けられ且つ前記収納体６が取り付けられる連結部材３と、該連結部材３と前記収納体６とを固定するための収納体取付部とを備えている。なお、本実施形態では、収納体取付部が収納体６の固定部材６１で構成されている。
【００３２】
ベースフレーム２は、棒状であり且つ長手方向に伸縮可能であるとともに縮み方向に付勢されるように構成される伸縮ロッド２０と、該伸縮ロッド２０の長手方向における一端に固定され且つバケット５の上縁部５１０に掛止可能な掛止部材２１と、伸縮ロッド２０の長手方向における他端に取り付けられ且つバケット５の底面に当接させる当接部材２２と、該当接部材２２を伸縮ロッド２０の他端に連結するアーム２３とを備えている。
【００３３】
伸縮ロッド２０は、図３に示すように、筒状のアウターロッド２００と、アウターロッド２００内にスライド可能に挿入されるインナーロッド２０１と、アウターロッド２００に対してインナーロッド２０１を付勢する付勢手段２０２とを備えている。
【００３４】
アウターロッド２００は、円筒状の外筒部２００ａと、該外筒部２００ａ内に位置するように該外筒部２００ａの一方の開口端に形成される縮径部２００ｂと、外筒部２００ａの他方の開口端に着脱可能に構成されるキャップ部２００ｃとを備えている。
【００３５】
縮径部２００ｂには、外筒部２００ａの内径よりも小さい孔径の挿通孔Ｏが形成されている。
【００３６】
上述のように、キャップ部２００ｃは、外筒部２００ａの他方の開口端に着脱可能に構成されている。そのため、アウターロッド２００は、外筒部２００ａの他方の開口端を開放した状態と、該他方の開口端をキャップ部２００ｃで閉塞した状態とに切り替え可能となるように構成されている。
【００３７】
インナーロッド２０１は、棒状のロッド本体部２０１ａと、該ロッド本体部２０１ａの一端に設けられた抜止部２０１ｂとを有する。
【００３８】
ロッド本体部２０１ａは、縮径部２００ｂの挿通孔Ｏに挿通可能な外径となるように形成されている。そのため、アウターロッド２００と、インナーロッド２０１とは、互いの中心線方向で相対移動可能（伸縮可能）に構成されている。
【００３９】
抜止部２０１ｂは、外径がインナーロッド２０１の外径よりも大きくなるように形成されている。また、抜止部２０１ｂは、外径が挿通孔Ｏの孔径よりも大きくなるように形成されている。
【００４０】
付勢手段２０２は、圧縮コイルバネで構成されている、また、付勢手段２０２は、外筒部２００ａ内で縮径部２００ｂと抜止部２０１ｂとの間に配置されており、中心にはロッド本体部２０１ａが挿通されている。さらに、付勢手段２０２は、縮径部２００ｂと抜止部２０１ｂとのそれぞれを互いに離間させる方向に付勢するように構成されている。
【００４１】
掛止部材２１は、円弧状の湾曲部２１０と、該湾曲部２１０の周方向における両端から互いに平行な姿勢となるように延出する一対の延出部２１１とを有する。一対の延出部２１１のうちの一方の延出部２１１は、伸縮ロッド２０の一端に固定されている。
【００４２】
そのため、掛止部材２１を周壁部５１の上縁部５１０に引っ掛けると、湾曲部２１０が該上縁部５１０上に配置され、一方の延出部２１１がバケット５の外側に配置され、他方の延出部２１１がバケット５の内側に配置されるように構成されている。
【００４３】
当接部材２２は、バケット５の底面（底部５０の外面）に当接させる当接面を有するとともに、該当接面の向きを変えるように姿勢変更可能である。より具体的に説明すると、当接部材２２は、図３に示すように、アーム２３に対して回転可能に連結される連結台部２２０と、該連結台部２２０に固定され且つバケット５の底面に押し当てられる押当部２２１とを有する。
【００４４】
連結台部２２０には、押当部２２１がアーム２３側とは反対側に向くようにして取り付けられている。また、連結台部２２０は、アーム２３に対する回転に伴って、当接面の向きを変えるようにして姿勢が変化するように構成されている。
【００４５】
押当部２２１は、弾性を有する材料によって構成されている。また、押当部２２１は、バケット５に対向させる押当面２２１ａを有する。なお、本実施形態において、当接部材２２は、押当部２２１の押当面２２１ａによって構成されている。
【００４６】
アーム２３は、棒状に形成されている。そして、アーム２３の長手方向における一方の端部（基端部）は、伸縮ロッド２０の他端に対して回転可能に連結されており、伸縮ロッド２０に対する回転に伴って、アーム２３の長手方向における他方の端部（先端部）を伸縮ロッド２０に対して接離させるように構成されている。
【００４７】
従って、アーム２３は、伸縮ロッド２０に対する回転に伴って、当接部材２２を伸縮ロッド２０に接近させた収納状態と、当接部材２２を伸縮ロッド２０から離間させた展開状態とに切替可能となるように構成されている。
【００４８】
本実施形態に係るベースフレーム２は、アーム２３が前記収納状態から前記展開状態に切り替えられると、当接部材２２（押当部２２１）が掛止部材２１の湾曲部２１０（具体的には、湾曲部２１０の周方向における中央部）よりも伸縮ロッド２０から離れた位置に配置されるように構成されている。また、前記展開状態のアーム２３は、伸縮ロッド２０の他端から延出する方向が一対の延出部２１１が並ぶ方向に対応するように構成されている。
【００４９】
なお、本実施形態に係るベースフレーム２は、前記展開状態のアーム２３の回転（前記収納状態から前記展開状態に切り替える際にアーム２３を移動させる方向への回転）を規制可能なストッパー２４をさらに備えている。そのため、本実施形態のアーム２３は、前記展開状態に切り替えられると、前記収納状態から前記展開状態に切り替える際の移動方向への回転がストッパー２４によって規制される。
【００５０】
連結部材３は、収納体６の開口側と底部側とが固定されるように構成されている。より具体的に説明すると、連結部材３は、ベースフレーム２間に架け渡される複数の架設フレーム３０を備えている。複数の架設フレーム３０は、図１に示すように、隣り合うベースフレーム２に架け渡される方向である架設方向において伸縮可能な架設ロッド３１と、架設方向における該架設ロッド３１の両端部に設けられ且つ伸縮ロッド２０に固定される一対の接続固定部３２とを有する。
【００５１】
架設ロッド３１は、筒状の収納ロッド３１０と、収納ロッド３１０内に挿入され且つ収納ロッド３１０に対して相対的にスライド可能な挿入ロッド３１１と、該収納ロッド３１０と挿入ロッド３１１とを相対的にスライドさせるための操作部３１２とを有する。
【００５２】
収納ロッド３１０の一端側には、図４に示すように、外周全周に亘って連続するように形成される取付溝３１０ａが形成されている。
【００５３】
挿入ロッド３１１は、一方の端部側が収納ロッド３１０内に挿入可能となっている。また、挿入ロッド３１１の一端側の外周面には、雄ねじ部３１１ａが形成されている。
【００５４】
操作部３１２は、筒状の操作部本体３１２ａと、該操作部本体３１２ａの一方の開口端側の内周全周に亘って連続するように形成される嵌込部３１２ｂと、該操作部本体３１２ａの他方の開口端側の内周全周に形成される雌ねじ部３１２ｃとを有する。
【００５５】
操作部本体３１２ａの一方の開口端側には収納ロッド３１０の一端が挿入され、他方の開口端側には挿入ロッド３１１の一端が挿入されている。
【００５６】
嵌込部３１２ｂは、全周に亘って取付溝３１０ａ内に嵌め込まれ、雌ねじ部３１２ｃは、雄ねじ部３１１ａに対して螺合している。そのため、操作部３１２は、収納ロッド３１０に対して位置決めされており、操作部本体３１２ａの回転に伴って、雌ねじ部３１２ｃと雄ねじ部３１１ａとの螺合度合いが変化するように構成されている。従って、架設ロッド３１は、操作部本体３１２ａを一方向に回転させると縮まり、操作部本体３１２ａを他方向に回転させると伸びるように構成されている。
【００５７】
一対の接続固定部３２のうち、一方の接続固定部３２は、収納ロッド３１０の他端に連設されており、他方の接続固定部３２は、挿入ロッド３１１の他端に連設されている。
【００５８】
本実施形態において、一対の架設フレーム３０のうちの一方の架設フレーム３０は、ベースフレーム２の上方に固定され、他方の架設フレーム３０は、ベースフレーム２の下方に固定されている。本実施形態では、以下の説明において、一方の架設フレーム３０を上部フレーム３０Ａ、他方の架設フレーム３０を下部フレーム３０Ｂとする。
【００５９】
上述のように、本実施形態では、収納体取付部が固定部材６１によって構成されているため、上部取付部とは、上部固定部材６１０のことであり、下部取付部とは、上部固定部材６１０のことである。
【００６０】
より具体的に説明すると、収納体取付部は、上部固定部材６１０で構成される上部取付部と、下部固定部材６１１で構成される下部取付部とを備えるように構成されている。このように、収納体取付部は、連結部材３に収納体６の開口側を固定可能な上部取付部と、連結部材３に収納体６の底部側を固定可能な下部取付部とを有するように構成されていればよい。
【００６１】
本実施形態に係るフレーム構造１の構成は、以上の通りの構成である。続いて、本実施形態に係るフレーム構造１の使い方について、添付図面を参照しつつ説明する。
【００６２】
フレーム構造１をバケット５に取り付けるにあたり、収納体６の幅に合わせてベースフレーム２の間隔を調整する。本実施形態では、上部フレーム３０Ａ及び下部フレーム３０Ｂの全長を調整することでベースフレーム２の間隔を調整する。
【００６３】
そして、各ベースフレーム２のアーム２３を前記収納状態から前記展開状態に切り替える。これにより、当接部材２２の押当部２２１が掛止部材２１の湾曲部２１０の周方向における中央部よりも伸縮ロッド２０から離れた位置に配置される。そして、各伸縮ロッド２０の上方側（アウターロッド２００）を保持して操作することによって、当接部材２２をバケット５の底面の下方側に配置する。
【００６４】
さらに、図５に示すように、当接部材２２の押当部２２１をバケット５の底面に当接させた後に、各伸縮ロッド２０を引き上げてアウターロッド２００を伸長させる。そして、掛止部材２１（各伸縮ロッド２０の一端側）をバケット５側に引き寄せて、該掛止部材２１を周壁部５１の上縁部５１０に掛止する。
【００６５】
そして、図６に示すように、伸縮ロッド２０が縮むと、該伸縮ロッド２０の縮む方向で掛止部材２１と当接部材２２とが付勢されて互いに引き寄せられる。これにより、バケット５が掛止部材２１と当接部材２２とによって挟持される。
【００６６】
また、掛止部材２１と当接部材２２とでバケット５を挟持している状態において、該掛止部材２１は、湾曲部２１０の周方向における中央部よりも伸縮ロッド２０から離れた位置でバケット５の底面に当接している。そのため、各伸縮ロッド２０は、一端側から他端側になるにつれて、バケット５の側面との間隔が広がるように配置された状態となっている。
【００６７】
上述の手順でフレーム構造１をバケット５に取り付けた後に、図７に示すように、一対の上部固定部材６１０を上部フレーム３０Ａに固定し、一対の下部固定部材６１１を下部フレーム３０Ｂに固定することで、フレーム構造１への収納体６の取り付けが完了する。
【００６８】
フレーム構造１に取り付けられた収納体６には、作業者が高所作業で用いる間接活線工具Ｔが収納される。そして、作業者は、バケット５を高所に移動させて高所作業を行う際に、必要に応じて収納体６に対して間接活線工具Ｔを出し入れする。
【００６９】
バケット５の移動に伴い、収納体６が電柱や、電柱の上部に設置された設備等に接触する虞がある場合は、各伸縮ロッド２０を引き上げてアウターロッド２００を伸長させつつ周壁部５１の上縁部５１０から掛止部材２１を取り外した後に、バケット５の底面から当接部材２２を外すことで、フレーム構造１をバケット５から一旦取り外す。
【００７０】
そして、フレーム構造１を別の場所に移動させた後に、当接部材２２の押当部２２１をバケット５の底面に当接させながら各伸縮ロッド２０を引き上げてアウターロッド２００を伸長させ、さらに、掛止部材２１を周壁部５１の上縁部５１０に掛止することで、バケット５に対するフレーム構造１の設置位置を変更することができる。
【００７１】
以上のように、本実施形態に係るフレーム構造１では、ベースフレーム２が、掛止部材２１と当接部材２２とでバケット５の上縁部５１０と底面とを挟持するように構成されており、さらに、該ベースフレーム２に設けられる連結部材３が、収納体６の開口側と底部側とが固定されるように構成されているため、固定部材６１によって収納体６の開口側（上端側）と底部側（下端側）とを連結部材３に固定することによって、収納体６の上端側と下端側とがバケット５から離れないようにすることができる。
【００７２】
従って、フレーム構造１は、収納体６が風によって煽られたり、バケット５の移動に伴って揺れたりすることを抑えることができるため、収納体６を安定した状態でバケット５に取り付けることができるという優れた効果を奏し得る。
【００７３】
また、本実施形態に係るフレーム構造１は、湾曲部２１０の周方向における中央部よりも伸縮ロッド２０から離れた位置に当接部材２２（押当部２２１）を配置可能とすることで、バケット５に対してベースフレーム２を確実に取り付けることができるようにしている。
【００７４】
より具体的に説明すると、フレーム構造１では、湾曲部２１０の周方向における中央部よりも伸縮ロッド２０から離れた位置に当接部材２２（押当部２２１）を配置することで、伸縮ロッド２０をバケット５の側面に沿わせて配置するとともに、当接部材２２をバケット５の底面に回り込ませて当接させることができ、これにより、ベースフレーム２をバケット５に対して確実に取り付けることができる。
【００７５】
また、掛止部材２１と当接部材２２とでバケット５を挟持している状態においては、該掛止部材２１が、湾曲部２１０の周方向における中央部よりも伸縮ロッド２０から離れた位置でバケット５の底面に当接する。そのため、フレーム構造１は、掛止部材２１と当接部材２２とが鉛直方向に交差する方向でバケット５を挟持するように構成することで、当接部材２２をバケット５の底面から外れ難くすることができる。
【００７６】
さらに、本実施形態に係るフレーム構造１は、前記展開状態のアーム２３が伸縮ロッド２０の他端から延出する方向と、一対の延出部２１１が並ぶ方向とが対応するように構成され、前記展開状態のアーム２３の回転をストッパー２４で規制しつつ、アーム２３に対する当接面（押当面２２１ａ）の向きを変えるように当接部材２２の姿勢を変更可能となるように構成されている。
【００７７】
これにより、アーム２３をバケット５側に向けて配置すると、掛止部材２１もバケット５側に向かうように配置されるため、当接部材２２をバケット５の底面に当接させてから掛止部材２１をバケット５の上端縁５１０に掛止するまでの操作を円滑に行うことができる。
【００７８】
また、前記展開状態のアーム２３の回転をストッパー２４で規制している状態において、当接部材２２がアーム２３に対して姿勢変更可能な状態となっているため、バケット５の外面と当接部材２２の当接面との当接状態を維持しながら、該当接部材２２に対してアーム２３、伸縮ロッド２０、掛止部材２１のそれぞれを動かすことができる。従って、伸縮ロッド２０を引き上げたり、掛止部材２１をバケット５側に引き寄せたりする際に、当接部材２２がバケット５の底面から外れることが抑えられる。
【００７９】
さらに、フレーム構造１では、アーム２３が伸縮ロッド２０に対する回転に伴って、当接部材２２を伸縮ロッド２０に接近させた収納状態と、当接部材２２を伸縮ロッド２０から離間させた展開状態とに切替可能であるため、前記収納状態から前記展開状態に切り替えると、伸縮ロッド２０に対して折り畳まれていたアーム２３が展開されて当接部材２２が伸縮ロッド２０から離れた位置に配置されるため、バケット５に取付可能な状態になり、前記展開状態から前記収納状態に切り替えると、アーム２３が伸縮ロッド２０に対して折り畳まれて当接部材２２がアーム２３に接近した状態となるため、運搬や保管に適した状態にすることができる。
【００８０】
また、フレーム構造１は、上部フレーム３０Ａ及び下部フレーム３０Ｂを伸縮させて隣り合うベースフレーム２の間隔を調整することができるため、種々のサイズの収納体６をバケット５に取り付けることが可能である。
【００８１】
なお、本発明の間接活線工具の収納体用のフレーム構造１は、上記一実施形態に限定されるものではなく、本発明の要旨を逸脱しない範囲において種々変更を行うことは勿論である。
【００８２】
上記実施形態において、特に言及しなかったが、上部フレーム３０Ａ及び下部フレーム３０Ｂは、ベースフレーム２に対する固定位置を調整可能に構成されてもよい。すなわち、上部フレーム３０Ａ及び下部フレーム３０Ｂの固定部は、ベースフレーム２に対する固定位置を調整可能に構成されていてもよい。
【００８３】
上記実施形態において、固定部材６１には、一対の上部固定部材６１０が含まれていたが、一つの上部固定部材６１０が含まれていてもよいし、三つ以上の上部固定部材６１０が含まれていてもよい。また、固定部材６１には、一対の下部固定部材６１１が含まれていたが、一つの下部固定部材６１１が含まれていてもよいし、三つ以上の下部固定部材６１１が含まれていてもよい。すなわち、固定部材６１には、少なくとも一つの上部固定部材６１０と、少なくとも一つの下部固定部材６１１とが含まれていればよい。
【００８４】
上記実施形態において、フレーム構造１は、一対のベースフレーム２を備えていたが、この構成に限定されない。例えば、フレーム構造１は、三つ以上のベースフレーム２を備えていてもよい。すなわち、フレーム構造１は、複数のベースフレーム２を備えていればよい。
【００８５】
上記実施形態において、フレーム構造１は、架設フレーム３０として、上部フレームと、下部フレームとを備えていたが、この構成に限定されない。例えば、フレーム構造１は、架設フレーム３０として、上部フレーム３０Ａ及び下部フレーム３０Ｂに加えて、上部フレーム３０Ａと下部フレーム３０Ｂとの間に配置される中間フレームを備えていてもよい。すなわち、フレーム構造１は、少なくとも、バケット５の上方側が固定される架設フレーム３０と、バケット５の下方側が固定される架設フレーム３０とを備えていればよい。
【００８６】
上記実施形態では、フレーム構造１をバケット５に取り付けた後に該フレーム構造１に対して収納体６を取り付けていたが、フレーム構造１をバケット５に取り付ける前に該フレーム構造１に収納体６を取り付けてもよい。
【００８７】
上記実施形態において、固定部材６１には、一対の上部固定部材６１０が含まれていたが、この構成に限定されるものではなく、例えば、固定部材６１に含まれる上部固定部材６１０は、一つであってもよいし、三つ以上であってもよい。また、固定部材６１には、一対の下部固定部材６１１が含まれていたが、この構成に限定されるものではなく、例えば、固定部材６１に含まれる上部固定部材６１０は、一つであってもよいし、三つ以上であってもよい。すなわち、固定部材６１には、少なくとも一つの上部固定部材６１０と、少なくとも一つの下部固定部材６１１とが含まれるようにしてもよい。
【００８８】
上記実施形態において、連結部材３は、ベースフレーム２間に架け渡される複数の架設フレーム３０によって構成されていたが、この構成に限定されない。例えば、連結部材３は、収納体６の開口側と底部側とを固定することができれば、ベースフレーム２に固定される板状の部材によって構成されていてもよい。
【００８９】
上記実施形態において、収納体取付部は、収納体６の固定部材６１によって構成されていたが（すなわち、収納体６に設けられていたが）、この構成に限定されない。例えば、収納体取付部は、収納体６の開口側と底部側とを連結部材３に固定できれば、上部取付部が上部フレーム３０Ａに設けられ、下部取付部が下部フレーム３０Ｂに設けられていてもよいし、上部取付部が上部フレーム３０Ａ及び収納体６とは別体物であり、下部取付部が下部フレーム３０Ｂ及び収納体６とは別体物であってもよい。
【符号の説明】
【００９０】
１…フレーム構造、２…ベースフレーム、３…連結部材、５…バケット、６…収納体、２０…伸縮ロッド、２１…掛止部材、２２…当接部材、２３…アーム、２４…ストッパー、３０…架設フレーム、３０Ａ…上部フレーム、３０Ｂ…下部フレーム、３１…架設ロッド、３２…接続固定部、５０…底部、５１…周壁部、６０…袋本体、６１…固定部材、２００…アウターロッド、２００ａ…外筒部、２００ｂ…縮径部、２００ｃ…キャップ部、２０１…インナーロッド、２０１ａ…ロッド本体部、２０１ｂ…抜止部、２０２…付勢手段、２１０…湾曲部、２１１…延出部、２２０…連結台部、２２１…押当部、２２１ａ…押当面、３１０…収納ロッド、３１０ａ…取付溝、３１１…挿入ロッド、３１１ａ…雄ねじ部、３１２…操作部、３１２ａ…操作部本体、３１２ｂ…嵌込部、３１２ｃ…雌ねじ部、５１０…上縁部、５１０…上端縁、６００…開口、６０１…底受部、６０２…取囲部、６１０…上部固定部材、６１１…下部固定部材、Ｏ…挿通孔、Ｔ…間接活線工具
【図１】
2017169359.tif 000003
【図２】
2017169359.tif 000004
【図３】
2017169359.tif 000005
【図４】
2017169359.tif 000006
【図５】
2017169359.tif 000007
【図６】
2017169359.tif 000008
【図７】
2017169359.tif 000009